(57)【特許請求の範囲】
【請求項１】
無線通信ネットワークにおける拡張されたセルサーチ及び選択のための装置であって、
プロセッサと、
前記プロセッサとデータ通信する無線インタフェースと、
前記プロセッサとデータ通信するロジックであって、前記装置に、
ブロードキャストされる隣接セルのリストであって、第１の無線アクセス技術（ＲＡＴ）を使用するセルと第２のＲＡＴを用いるセルとを含む隣接セルのリストにおいて、及び、前記ブロードキャストされる隣接セルのリストでブロードキャストされていない既知のセルを含む記憶されたセルのリストにおいて、１つ以上のセルを特定し、
適合基準を用いて前記特定された１つ以上のセルを評価し、
前記ブロードキャストされる隣接セルのリストにおける前記第１のＲＡＴを使用する第１のセルが前記適合基準を満たす場合、前記記憶されたセルのリストにおいて特定された適合セル及び前記第２のＲＡＴを使用する適合セルに関わらず、前記第１のセルを選択し、
前記ブロードキャストされる隣接セルのリストにおける前記第１のＲＡＴを使用するセルがいずれも前記適合基準を満たさない場合、
前記記憶されたセルのリストにおける前記第１のＲＡＴを使用するセルの前記評価された適合基準と前記ブロードキャストされる隣接セルのリストにおける前記第２のＲＡＴを使用するセルの前記評価された適合基準との比較に基づいて第２のセルを選択する、
ように構成されるロジックと、
を有することを特徴とする装置。
【請求項２】
前記ロジックは、さらに、前記装置に、前記第１のＲＡＴまたは前記第２のＲＡＴを使用する、前記ブロードキャストされる隣接セルのリストにおいて特定されたセルがいずれも前記適合基準を満たさない場合、圏外リカバリ処理を開始させるように構成される、
ことを特徴とする請求項１に記載の装置。
【請求項３】
前記ロジックは、さらに、前記装置に、前記第１のＲＡＴを使用する、前記ブロードキャストされる隣接セルのリストまたは前記記憶されたセルのリストにおいて特定されたセルがいずれも前記適合基準を満たさない場合、前記ブロードキャストされる隣接セルのリストにおける前記第２のＲＡＴを使用する適合セルを選択させるように構成される、
ことを特徴とする請求項１に記載の装置。
【請求項４】
複数の命令を含むコンピュータプログラムであって、
前記複数の命令は、実行されるとき、少なくとも、
セル選択基準を用いてブロードキャストされる隣接セルのリストと記憶されたセルのリストとにおいて１つ以上のセルの利用可能性を判定することと、
前記ブロードキャストされる隣接セルのリストにおける第１の無線アクセス技術（ＲＡＴ）を使用する第１のセルが前記セル選択基準を満たす場合、前記記憶されたセルのリストにおける適合セル及び前記第２のＲＡＴを使用する適合セルに関わらず、前記第１のセルを選択し、
前記ブロードキャストされる隣接セルのリストにおける前記第１のＲＡＴを使用するセルがいずれも前記セル選択基準を満たさない場合、記憶されたセルのリストにおける前記第１のＲＡＴを用いるセルの前記セル選択基準と前記ブロードキャストされる隣接セルのリストにおける前記第２のＲＡＴを使用するセルの前記セル選択基準との比較に基づいて第２のセルを選択することと、
を通じて、移動体無線装置に適合セルを探索して選択させるように構成されている、
ことを特徴とするコンピュータプログラム。
【請求項５】
前記複数の命令は、さらに、実行されるときに、前記ブロードキャストされる隣接セルのリストにおいて適合セルがいずれも利用可能でなかった場合に、前記移動体無線装置に圏外リカバリ処理を開始させるように構成されている、
ことを特徴とする請求項４に記載のコンピュータプログラム。
【請求項６】
前記複数の命令は、さらに、実行されるときに、前記ブロードキャストされる隣接セルのリストまたは前記記憶されたセルのリストにおいて、前記第１のＲＡＴを使用するように構成された適合セルが利用可能でなかった場合、前記ブロードキャストされる隣接セルのリストにおける前記第２のＲＡＴを使用する適合セルを前記移動体無線装置に選択させるように構成されている、
ことを特徴とする請求項４に記載のコンピュータプログラム。
【請求項７】
前記第１のＲＡＴは、前記移動体無線装置に対して、前記第２のＲＡＴより高い性能の接続を提供する、
ことを特徴とする請求項６に記載のコンピュータプログラム。
【請求項８】
前記記憶されたセルのリストは、前記ブロードキャストされる隣接セルのリストにおける利用可能なセルによってブロードキャストされない前記記憶されたリストのセルについての情報を含む、
ことを特徴とする請求項４に記載のコンピュータプログラム。
【請求項９】
前記ブロードキャストされる隣接セルのリストは、前記移動体無線装置がサービング基地局から予め受信したリストを含む、
ことを特徴とする請求項４に記載のコンピュータプログラム。
【請求項１０】
複数の命令を含むコンピュータプログラムであって、
前記複数の命令は、プロセッサによって実行されるとき、
第１の無線アクセス技術（ＲＡＴ）を使用するセルと第２のＲＡＴを用いるセルとを含むブロードキャストされる隣接セルのリストにおいて、及び、前記ブロードキャストされる隣接セルのリストでブロードキャストされていない既知のセルを含む記憶されたセルのリストにおいて、１つ以上のセルを特定することと、
適合基準を用いて前記特定された１つ以上のセルを評価することと、
前記ブロードキャストされる隣接セルのリストにおいて前記第１のＲＡＴを用いる第１適合セルが発見された場合に、前記第１適合セルを選択することと、
前記ブロードキャストされる隣接セルのリストにおいて前記第１のＲＡＴを用いる適合セルが発見されなかった場合に、
前記記憶されたセルのリストにおける前記第１のＲＡＴを使用するセルの前記評価された適合基準と前記ブロードキャストされる隣接セルのリストにおける前記第２のＲＡＴを使用するセルの前記評価された適合基準との比較に基づいて第２適合セルを選択することと、
を、移動体装置に行わせるように構成されることを特徴とするコンピュータプログラム。
【請求項１１】
前記プロセッサによって実行されるときに、前記ブロードキャストされる隣接するセルのリストにおいて、前記第１のＲＡＴまたは前記第２のＲＡＴを用いる適合セルが発見されない場合、前記移動体装置に圏外リカバリ処理を開始させるように構成される命令をさらに含む、
ことを特徴とする請求項１０に記載のコンピュータプログラム。
【請求項１２】
前記第１のＲＡＴは、前記第２のＲＡＴより優先される、
ことを特徴とする請求項１０に記載のコンピュータプログラム。
【請求項１３】
ＲＡＴのプリファレンスは、最大の達成可能なデータ転送速度によって定まる、
ことを特徴とする請求項１２に記載のコンピュータプログラム。
【請求項１４】
前記第２のＲＡＴは２ＧのＧＳＭ技術であり、前記第１のＲＡＴは３ＧのＵＭＴＳ又はその後の世代の技術である、
ことを特徴とする請求項１２に記載のコンピュータプログラム。
【請求項１５】
移動体装置における拡張されたセルサーチ及び選択のための方法であって、
サービング基地局から、第１のＲＡＴを使用するセルと第２のＲＡＴを用いるセルとを含むブロードキャストされる隣接セルのリストを受信することと、
前記ブロードキャストされる隣接セルのリストにおいて、及び、前記移動体装置に事前に記憶された、記憶されたセルのリストにおいて、利用可能なセルを探索して発見することと、
セル選択基準に少なくとも部分的に基づいて、発見された前記利用可能なセルを評価することと、
前記評価に少なくとも部分的に基づいて、前記利用可能なセルの中から、前記セル選択基準を満たすセルを選択することと、を有し、
前記セルを選択することは、
前記ブロードキャストされる隣接セルのリストにおける前記第１のＲＡＴを使用する第１のセルが前記セル選択基準を満たす場合、前記記憶されたセルのリストにおいて特定されたセル及び前記第２のＲＡＴを使用するセルに関わらず、前記第１のセルを選択し、
前記ブロードキャストされる隣接セルのリストにおける前記第１のＲＡＴを使用するセルがいずれも前記セル選択基準を満たさない場合、記憶されたセルのリストにおける前記第１のＲＡＴを用いるセルの前記評価されたセル選択基準と前記ブロードキャストされる隣接セルのリストにおける前記第２のＲＡＴを使用するセルの前記評価されたセル選択基準との比較に基づいて第２のセルを選択することを有する、
ことを特徴とする方法。
【請求項１６】
前記記憶されたセルのリストは、前記移動体装置に対するサービング基地局として以前にサービスしていたセルを少なくとも含む、
ことを特徴とする請求項１５に記載の方法。
【請求項１７】
前記ブロードキャストされる隣接セルのリストにおいてまたは前記記憶されたセルのリストにおいて前記第１のＲＡＴを使用するセルがいずれも前記セル選択基準を満たさない場合、前記ブロードキャストされる隣接セルのリストにおける前記第２のＲＡＴを使用するセルであって、前記セル選択基準を満たすセルを選択することを更に有する、
ことを特徴とする請求項１５に記載の方法。
【発明の詳細な説明】
【技術分野】
【０００１】
説明する形態は、一般に、無線移動体通信に関する。より具体的には、移動体無線通信装置における拡張セルサーチ及び選択のための方法が説明される。
【背景技術】
【０００２】
携帯電話又は無線パーソナルデジタルアシスタントのような移動体無線通信装置は、例えば、音声通信、テキストメッセージング、インターネットブラウジング及び電子メールを含む、多種多様な通信サービスを提供することができる。移動体無線通信装置は、複数の「セル」を重ね合わせた無線通信ネットワークにおいて動作することができ、セルのそれぞれは、当該セルの範囲内に位置する無線ネットワークサブシステムから広がる無線信号カバレッジの地理的領域を提供する。無線ネットワークサブシステムは、「エアインタフェース」を提供し、移動体無線通信装置はそれを介して無線通信ネットワークへアクセスすることができる。アイドルの場合とアクティブに接続されている場合とのいずれの場合においても、移動体無線通信装置は、無線通信ネットワークにおける「サービング」セルと関連付けられることができ、移動体無線通信装置がさらに関連しうる「隣接」セルを把握することができる。移動体無線通信装置と無線ネットワークサブシステムとの間のエアインタフェースの品質は、直接的に受信信号電力に影響するそれらの間の距離と、エアインタフェースのいずれかの端において受信信号に含まれる干渉とに基づいて変動しうる。移動体無線通信装置が無線ネットワークサブシステムからさらに遠くへ移動すると、やがては、隣接セルが、現在のサービングセルと等しい又はより良好な性能の通信リンクを提供しうる。移動体無線通信装置は、自身が連関するセルを切り替えるかどうか、そしていつ切り替えるかを決定するための処理を含むことができる。移動体無線通信装置がサービングセルにアクティブに接続されている場合、隣接セルへの切り替えの処理は、「ハンドオフ」として知られる。「アイドル」状態においてサービングセルと関連付けられている移動体無線通信装置に対しては、隣接セルとの関連付けの処理は「セル再選択」として知られている。
【０００３】
移動体無線通信装置が、電源オンの初期化の後のように、無線通信ネットワークと連関することを望むとき、移動体無線通信装置は、自身の近傍に位置するセルを探すことができる。初期的に移動体無線通信装置がサービングセルを検索し接続することは、「セル選択」と呼ばれうる（ここでは、用語「セル選択」及び「セル再選択」は、交換可能に使用されうると共に、一方又は他方の用語により限定することを意図するものではない）。無線通信リンクを提供するのに適していると思われるセルが検索された場合、例えば、移動体無線通信装置がセルに配置された無線ネットワークサブシステムから受信した信号がある性能品質メトリックを超えたとき、移動体無線通信装置は、そのセルに連関することができる。サービングセルに滞在する間、移動体無線通信装置は、サービングセルの無線ネットワークサブシステムから、そして、隣接セルに配置された他の無線ネットワーク意サブシステムからブロードキャストされたメッセージを聞くことができる。サービングセルとその隣接セルとのある特性を特定するシステム情報は、定期的にサービングセルの無線ネットワークサブシステムによってブロードキャストされうる。移動体無線通信装置が、隣接セルが現在のサービングセルより高い品質の通信リンクを提供できると判定した場合、移動体無線通信装置は、現在のサービングセルとの連関を解き、隣接セルと連関することができる。
【発明の概要】
【発明が解決しようとする課題】
【０００４】
セル再選択及びハンドオーバは、第３世代（３Ｇ）のユニバーサル移動体通信システム（ＵＭＴＳ）無線通信ネットワークにおける２つのセルの間のように、共通の無線アクセス技術（ＲＡＴ）を共有する複数のセルの間において生じうる。ある環境において、移動体無線通信装置は、３Ｇ  ＵＭＴＳネットワークから第２世代（２Ｇ）の移動体通信用グローバルシステム（ＧＳＭ（登録商標））ネットワークへ、のような、ＲＡＴ間ハンドオーバ（又はセル再選択）を実行することができる。移動体無線通信装置は、サービングセルがブロードキャストしたシステム情報に基づいて、同一の無線アクセス技術を使用している隣接セルと、異なる無線アクセス技術を使用する他の隣接セルとを把握することができる。しかしながら、限定されたカバレッジ領域を有する家庭又はオフィスベースの「フェムトセル」のような、あるセルについての情報は、無線通信ネットワークの無線ネットワークサブシステムによってはブロードキャストされえない。したがって、ハンドオーバ及びセル再選択の間にサービングセルがブロードキャストした隣接セルのみを使用することは、移動体無線通信装置が、ブロードキャストされるシステム情報メッセージに載せられていない、「ブロードキャストされない」セルの独自の知識を有している場合であっても、移動体無線通信装置による再選択のオプションを制限する場合がある。例えば、移動体無線通信装置は、初期化時のセルの探索時又は圏外（ＯＯＳ）からのリカバー時などのような、ディスカバリ処理を通じて限定されたカバレッジの「フェムトセル」を把握することができる。移動体無線通信装置では、セル再選択及びハンドオーバの間に使用するためにフェムトセルについての情報をローカルに記憶することができる。フェムトセルは、利用可能であれば、移動体無線通信装置のユーザ（高データレート）と無線通信ネットワーク事業者（ネットワークオフローディング）の両方に便益を提供することができる。したがって、セルサーチ及びセル再選択を、ブロードキャストされたセルに加えて記憶されたセルを含むように拡張する方法が望まれうる。
【課題を解決するための手段】
【０００５】
本書は、無線通信ネットワークにおける移動体無線通信装置による拡張セルサーチ及び選択のための方法及び装置に関するさまざまな形態について説明する。
【０００６】
典型的な実施形態において、方法は、移動体無線通信装置により実行される以下のステップを含む。移動体無線通信装置は、隣接セルの第１のリストと記憶されたセルの第２のリストとにおけるセルを探索して、検出する。移動体無線通信装置は、適合基準を用いて検出されたセルを評価する。隣接セルの第１のリストにおいて第１の無線アクセス技術を使用する適合第１セルを検出した場合、移動体無線通信装置は、その第１のセルを選択する。それ以外の場合、隣接セルの第１のリストにおいて第２の無線アクセス技術を使用する適合第２セルを検出した場合で、記憶されたセルの第２のリストにおいて第１の無線アクセス技術を使用する適合セルを検出しなかった場合、移動体無線通信装置は、当該第２のセルを選択する。それ以外の場合、隣接セルの第１のリストにおいて第２の無線アクセス技術を使用する適合第３セルを検出した場合で、記憶されたセルの第２のリストにおいて第１の無線アクセス技術を使用する適合第４セルを検出した場合で、第４のセルが第３のセルより適切なとき、移動体無線通信装置は第４のセルを選択する。いくつかの実施形態において、第１の無線アクセス技術は３ＧのＵＭＴＳ又はその後の世代の技術であり、第２の無線アクセス技術は２ＧのＧＳＭ技術である。
【０００７】
もう１つの典型的な実施形態において、無線通信ネットワークにおける、拡張セルサーチ及び選択のための装置は、少なくとも以下の要素を含む。装置は、アプリケーションサービスを提供するように構成されるアプリケーションプロセッサを含む。装置は、また、送受信器を含む。送受信器は、サービス状態の低下を検出するように構成される。送受信器は、隣接セルの第１のリスト及び記憶されたセルの第２のリストにおいて、セルを探索し、検出するように構成される。送受信器は、適合基準を用いて検出されたセルを評価するように構成される。送受信器は、隣接セルの第１のリストにおいて第１の無線アクセス技術を使用する適合セルを検出しなかった場合で、隣接セルの第１のリストにおいて、第２の無線アクセス技術を使用する適合第２セルであって、記憶されたセルの第２のリストにおける第１の無線アクセス技術を使用する適合第１セルに劣る第２のセルを検出した場合に、第１のセルを選択するように構成される。いくつかの実施形態において、第１の無線アクセス技術は、第２の無線アクセス技術に対して優先される。
【０００８】
また別の典型的な実施形態において、適合セルを探索し選択するための移動体無線装置におけるプロセッサにより実行可能なコンピュータプログラムを記憶するためのコンピュータ可読媒体が、以下のコンピュータプログラムコードを含む。隣接セルの第１のリストと記憶されたセルの第２のリストとにおいてセルを検出し、適合基準を用いて検出されたセルを評価するためのコンピュータプログラムコード。第１の無線アクセス技術を使用する適合セルが隣接セルの第１のリストから見つからなかった場合で、隣接セルの第１のリストから発見された全ての適合セルより性能が優れている、第１の無線アクセス技術を使用する第１適合セルが、記憶されたセルの第２のリストから見つけられた場合、その記憶されたセルの第２のリストにおける適合第１セルを選択するためのコンピュータプログラムコード。いくつかの実施形態では、第１適合セルは、重畳するマクロセルによりブロードキャストされない特性を使用すると共に限定された伝送カバレッジ範囲を有する私用のセルである。
【０００９】
本発明及びその利点は、添付の図面と併せて以下の説明を参照することにより最もよく理解されるかもしれない。
【図面の簡単な説明】
【００１０】
【図１】無線セルラ通信ネットワークの複数のセル間に位置する移動体無線通信装置を示す図。
【図２】２つの異なる無線アクセス技術を使用する３つの異なるセルからの、移動体無線通信装置において測定される受信信号レベルと受信信号品質とを示す図。
【図３】セルサーチ及び選択を実行する従来技術の方法を示す図。
【図４】セルの拡張セットを使用するセルサーチ及び選択を実行する典型的な方法を示す図。
【図５】移動体無線通信装置の処理部を示す図。
【図６】移動体無線通信装置により使用される選択動作の典型的なセットを示す図。
【発明を実施するための形態】
【００１１】
以下の説明では、説明される実施形態の基礎となるコンセプトの完全な理解を提供するために、多数の具体的な詳細を説明する。しかしながら、当業者には、説明される実施形態は、これらの特定の詳細のいくつか又は全てを使用せずに実行されうることは明らかだろう。他の例においては、不必要に基礎的なコンセプトをあいまいにすることを防ぐため、よく知られた処理のステップについては詳細に説明されていない。
【００１２】
図１に図解するように、移動体無線通信装置１０６は、複数の無線通信セルを重ねる無線通信ネットワーク１００とシームレスに接続する能力を含むことができ、各無線通信セルは、無線ネットワークサブシステムから広がる地理的な領域をカバーする。移動体無線通信装置１０６は、無線通信ネット枠１００において異なる別々のセル１０２／１１０／１１４に配置された無線ネットワークサブシステム１０４／１０８／１１２から通信信号を受信することができ、各セルは移動体無線通信装置１０６から異なる距離に位置しうる。無線ネットワークサブシステム１０４／１０８／１１２は、ＧＳＭネットワークにおいて基地局、そしてＵＭＴＳネットワークにおいてノードＢと呼ばれうる。無線通信信号の信号強度は、送信端と受信端との間の距離の２乗に比例して減衰するため、移動体無線通信装置１０６は、任意の時間において最も強い受信信号を有するセルを判定するために、無線通信ネットワーク１００におけるいくつかの異なるセル１０２／１１０／１１４からの受信信号強度を測定することができる。さらに、干渉が位置によって変動しうるため、移動体無線通信装置が移動体無線通信ネットワーク１００の中で位置を変更するのに従って、受信信号品質が変化しうる。したがって、移動体無線通信装置１０６が最も強い信号を受信するか、最も高い品質を有する信号を受信するかの少なくともいずれかのセルは、変化しうる。
【００１３】
「電源オン」の初期化の後、又は、同様に、「新しい」無線通信ネットワークに入ったとき、移動体無線通信装置１０６は、連関するため、すなわち、セルを「選択する」ために無線通信ネットワーク１００におけるセルを探すことができる。無線通信ネットワーク１００のセルにおける無線ネットワークサブシステムは、定期的な間隔で、自身が配置されるセルの顕著な特性と共に隣接セルの所定の特性を特定する、一連のシステム情報メッセージをブロードキャストすることができる。受信信号の強度の測定、又はキャリア対干渉比のような他の受信信号品質メトリックに基づいて、移動体無線通信装置１０６は、無線ネットワークサブシステム１０４のような、複数の無線ネットワークサブシステムの１つと連関することができ、それにより、無線通信ネットワーク１００内の特定のセルを「サービング」セル１０２として「選択」する。「サービング」セルと連関する処理は、そのセルへの「キャンピング」としても知られているかもしれない。
【００１４】
サービングセル１０２と連関した後に、移動体無線通信装置１０６は、無線通信ネットワーク１００との（音声又はデータ呼のような）接続を、サービングセル１０２の無線ネットワークサブシステム１０４を通じて初期化することができる。サービングセル１０２の無線ネットワークサブシステム１０４もまた、無線ネットワーク１００がサービングセル１０２と移動体無線通信装置１０６との間の関連を把握することができるため、移動体無線通信装置１０６への接続を初期化することができる。サービングセル１０２に「キャンプ」されている間、移動体無線通信装置１０６は、無線ネットワークサブシステム１０４から、隣接セル１１０に配置された無線ネットワークサブシステム１０８のような、異なる無線ネットワークサブシステムに連関するかどうか、そしていつ連関するかを判定するためのシステム情報を含む、ブロードキャスト信号を観測することができる。
【００１５】
システム情報は、サービングセル１０２の無線ネットワークサブシステム１０４から、サービングセル１０２に滞在している移動体無線通信装置１０６へ、システム情報メッセージを通じて伝達されることができる。共通機能に関連する複数のパラメータは、特定のタイプのシステム情報メッセージにおいて共にグループ化されることができる。典型的な例として、第３世代パートナーシッププロジェクト（３ＧＰＰ）によって発展し、維持されている、ユニバーサル移動体通信システム（ＵＭＴＳ）として知られる第３世代（３Ｇ）移動体通信技術は、システム情報を多くの異なるシステム情報ブロック（ＳＩＢ）の１つへと編成する無線リソース制御（ＲＲＣ）プロトコルを含み、ＳＩＢ３及びＳＩＢ４は、無線ネットワークサブシステム１０４によりブロードキャストされうると共に、アイドル又は接続状態のそれぞれにあるときに使用するための移動体無線通信装置１０６のサービングセルについての複数のパラメータを含むことができる。同様にＳＩＢ１１及びＳＩＢ１２は、移動体無線通信装置１０６がアイドル又は接続状態のそれぞれにあるときに、隣接セルについての複数の追加のパラメータを提供することができる。
【００１６】
もう１つの典型的な例として、２ＧのＧＳＭ通信プロトコルは、いくつかの異なるシステム情報（ＳＩ）メッセージにおいて隣接セル情報をブロードキャストする。移動体無線通信装置１０６は、移動体無線通信ネットワーク１００の無線ネットワークサブシステム１０４からブロードキャストされるＳＩ２、ＳＩ２ｂｉｓ、ＳＩ２ｔｅｒ及びＳＩ２ｑｕａｔｅｒシステム情報メッセージにおいて、ブロードキャストされた情報からＧＳＭ隣接リストを組み立てることができる。ＳＩメッセージに含まれる情報は、隣接セルの周波数のリストと共に、隣接セルの周波数と組み合わされる基地局識別コード（ＢＳＩＣ）も含むことができる。移動体無線通信装置１０６は、異なる周波数の隣接セル（周波数間再選択）又は同一周波数で異なるＢＳＩＣを有する隣接セル（周波数内再選択）を選択することができる。ＳＩ２ｑｕａｔｅｒシステム情報メッセージは３Ｇ隣接リストをも含むことができ、移動体無線通信装置１０６は、それを用いて３Ｇセルを選択（ＲＡＴ間再選択）することができる。
【００１７】
移動体無線通信装置１０６が圏外（ＯＯＳ）状態を検出すると、移動体無線通信装置１０６は、複数のセルを探索することができる。探索の範囲は変動してもよい。周波数内探索は、同一周波数に対する異なるスクランブリングコードを使用するセル（又はより具体的には、セル内の能動的にブロードキャストを行っている無線ネットワークサブシステム）を探すことでありうる。周波数間探索は、異なる周波数を使用する（場合によっては同一の又は異なるスクランブリングコードを使用する）セルを探索することでありうる。ＲＡＴ（無線アクセス技術）間探索は、異なる無線アクセス技術を使用するセルを探索することでありうる。システム情報ブロックにおいて無線ネットワークサブシステム１０４がブロードキャストした隣接セルリストは、これらの異なる幅の探索のいずれをも包含してもよい。図１は、ＲＡＴ間無線ネットワークサブシステム１１２がカバーする、ＲＡＴ間隣接セル１１４を図解している。信号レベル及び信号品質測定値に基づく、セル間を切り替える閾値は、周波数内、周波数間、及びＲＡＴ間探索に対して異なっていてもよい。
【００１８】
セル選択処理の間、移動体無線通信装置１０６は、現在のサービングセル１０２と隣接セル１１０／１１４とに対する適合基準を評価するために、ＳＩＢ３／４及びＳＩＢ１１／２でブロードキャストされた値を使用することができる。特定されうる適合基準は、最小の受信電力レベル（受信信号強度レベル）と最小受信信号品質レベルとを含んでもよい。移動体無線通信装置１０６は、受信信号符号電力（ＲＳＣＰ）及び信号対干渉比（Ｅｃ／Ｉｏ）を判定するために共通パイロットチャネル（ＣＰＩＣＨ）を測定することができ、判定された値を、関連のあるＳＩＢから読み出した適合基準に対して比較することができる。ＲＳＣＰは、適合基準の最小受信電力レベルと比較することができ、一方で、Ｅｃ／Ｉｏは、適合基準の最小受信信号品質レベルと比較することができる。
【００１９】
典型的な実施形態として、ＵＭＴＳ無線通信ネットワーク１００における移動体無線通信装置１０６は、以下の不等式
Ｓｒｘｌｅｖ  ＞  ０
Ｓｑｕａｌ    ＞  ０
が満たされる場合にサービングセル１０２が適合すると判断する。パラメータＳｒｘｌｅｖ及びＳｑｕａｌは、
Ｓｒｘｌｅｖ  ＝  Ｑｒｘｌｅｖｍｅａｓ  −  Ｑｒｘｌｅｖｍｉｎ  −  Ｐｃｏｍｐ
Ｓｑｕａｌ    ＝  Ｑｑｕａｌｍｅａｓ  −  Ｑｑｕａｌｍｉｎ
のように計算することができる。パラメータＱｒｘｌｅｖｍｉｎ、Ｑｑｕａｌｍｉｎ及びＰｃｏｍｐは、無線ネットワークサブシステム１０４が、サービングセル１０２のためのＳＩＢ３／４システム情報メッセージを用いて特定することができ、一方で、パラメータＱｑｕａｌｍｅａｓ及びＱｒｘｌｅｖｍｅａｓは、移動体無線通信装置１０６が測定することができる。一連の連続するＤＲＸサイクル２０２に対して、サービングセル１０２が「不適合」であることが分かった場合、移動体無線通信装置１０６は、セル再選択処理を開始することができる。セル再選択をトリガしうる連続ＤＲＸサイクルの数もまた、無線ネットワークサブシステム１０４が、ＳＩＢ３／４システム情報メッセージにおいて送信されうる。ＳＩＢ３／４システム情報メッセージは、追加のパラメータＳｉｎｔｒａｓｅａｒｃｈ、Ｓｉｎｔｅｒｓｅａｒｃｈ、ＳｉｎｔｅｒＲＡＴを含むこともでき、これらのパラメータは、計算された値Ｓｑｕａｌがこれらの追加のパラメータにより特定されるレベル以下に落ち込んだ場合に、周波数内、周波数間、又は「無線アクセス技術」間のセルサーチ手順をそれぞれトリガすることができる。隣接セル１１０／１１４の適合性を評価するための追加のパラメータの値がＳＩＢ１１／１２システム情報メッセージにおいてブロードキャストされてもよい。
【００２０】
サービングセル１０２と隣接セル１１０／１１４に加えて、図１は、限定的なセルカバレッジ領域１１６を有するフェムトセル１１８を示している。フェムトセル１１８はより低電力の、単純化された無線ネットワークサブシステムであり、家庭又はビジネス環境内の室内に配置されうる。フェムトセル１１８の配置は、地理的領域をカバーするマクロセル１０２／１１０／１１４の無線通信ネットワーク１００と重なりうる。フェムトセル１１８はまた、ＵＭＴＳネットワークにおいて、「ホームノードＢ」とも呼ばれうる。フェムトセル１１８は、有利なことに、限定された移動体無線通信装置１０６のセットに対して、限定されたカバレッジエリアを介して高データレート接続を提供することができる。典型的な実施形態では、フェムトセル１１８は、２０メートル未満の最大カバレッジ距離を有する。移動体無線通信装置１０６は、サービングセル１０２からフェムトセル１１８へオフロードされることができ、それにより、サービングセル１０２における無線周波数リソースを、他の移動体無線通信装置が通信サービスにアクセスするために、開放することができる。フェムトセル１１８は、無線通信ネットワーク１００を通じたアクセスにより提供されるのと同一の通信サービスまで移動体無線通信装置１０６のユーザを接続するためのアクセスを、有線ブロードバンド接続のような有線バックホール（不図示）を通じて提供することができる。
【００２１】
典型的な配置において、フェムトセル１１８は、８５０ＭＨｚ周波数帯域又は１９００ＭＨｚ周波数帯域のような、マクロセル１０２が使用するものと同一の周波数帯域を使用することができる。しかしながら、フェムトセル１１８とマクロサービングセル１０２は、異なるＵＭＴＳ地上は無線アクセスアブソリュート無線周波数チャネル番号（ＵＡＲＦＣＮ）と異なるプライマリ・スクランブリングコード（ＰＳＣ）を使用することができる。マクロサービングセル１０２とフェムトセル１１８とに対して、異なるＵＡＲＦＣＮ及びＰＳＣを選択することで、フェムトセル１１８の伝送とマクロサービングセル１０２の伝送との間の干渉を避けることができる。ＵＡＲＦＣＮとＰＳＣは、隣接セル１１０／１１４のために、ＳＩＢ１１／１２においてブロードキャストされうるところ、フェムトセル１１８のためのＵＡＲＦＣＮとＰＳＣは、マクロサービングセル１０２における無線ネットワークサブシステム１０４によってはブロードキャストされえない。密集した都市環境において、１つのマクロサービングセル１０２の中に多数の（例えば数百以上の）フェムトセルが存在しえ、領域内のフェムトセルの全てに対するＵＡＲＦＣＮ及びＰＳＣをブロードキャストすることはネットワーク計画問題を引き起こしうる。このように、移動体無線通信装置１０６は、フェムトセル１１８を認識し接続するためには、マクロサービングセル１０２がブロードキャストした情報のみに依存することはできない。移動体無線通信装置１０６が、セル選択又は再選択処理のために、マクロサービングセル１０２の無線ネットワークサブシステムがブロードキャストした隣接セルのみを使用する場合、移動体無線通信装置は、次に説明するように、フェムトセル１１８ではなく、ＲＡＴ巻隣接セル１１４に接続する可能性がある。
【００２２】
図２は、移動体無線通信装置１０６において、マクロサービングセル１０２、ＲＡＴ間隣接セル１１４、及びフェムトセル１１８に対して測定された受信信号メトリックに基づく再選択シナリオ２００を示している。移動体無線通信装置１０６は、適合基準のセットを満足するレベルで開始しうると共に再選択処理を発生させるレベルに落ちうるマクロサービングセル１０２の信号品質２０２が、劣化していることを測定することができる。典型的な実施形態では、マクロサービングセル１０２は、ＵＭＴＳ通信ネットワーク内に存在しうる。移動体無線通信装置１０６は、初期的にマクロサービングセル１０２に対して値−５ｄＢを有する、第１のプライマリスクランブリングコード（ＰＳＣ＃１）に対するＥｃ／Ｉｏ信号品質メトリック（Ｑｑｕａｌｍｅａｓ）を測定することができる。このＥｃ／Ｉｏ信号品質メトリックレベルは、マクロサービングセル１０２がブロードキャストした信号品質メトリック最小値Ｑｑｕａｌｍｉｎを超えることができ、そのため、マクロサービングセル１０２に対する適合性基準Ｓｑｕａｌ＞０を満足することができる。移動体無線通信装置１０６は、また、適合基準Ｓｒｘｌｅｖ＞０を満足することができる値−９０ｄＢｍを有するマクロサービングセル１０２のプライマリスクランブリングコード（ＰＳＣ＃１）に対する、受信信号レベル２０６（Ｑｒｘｌｅｖｍｅａｓ）を測定することができる。適合基準Ｓｑｕａｌ＞０が満たされることを保証することができるように、Ｅｃ／Ｉｏ信号品質メトリックレベルが十分に高く維持されるとき（そして、第２の適合基準Ｓｒｘｌｅｖ＞０が同時に満たされるとき）、移動体無線通信装置１０６は、マクロサービングセル１０２に接続されたままでいることができる。
【００２３】
マクロサービングセル１０２のＥｃ／Ｉｏ信号品質メトリックが、図２において下り坂により示されるように劣化する場合、適合基準Ｓｑｕａｌ＞０が満たされないかもしれず、再選択処理が開始されうる。測定されたマクロサービングセル１０２の信号品質メトリックＥｃ／Ｉｏ  ＵＭＴＳ  ＰＳＣ＃１は、適合基準Ｓｑｕａｌ＞０が満たされないかもしれない、すなわち、Ｑｑｕａｌｍｅａｓ＜Ｑｑｕａｌｍｉｎにより、測定された信号品質レベルが、マクロサービングセル１０２が要求する最小信号品質レベル以下に落ち込んだことを示されるようなレベル以下に劣化する場合がある。受信信号レベルの測定値（Ｑｒｘｌｅｖｍｅａｓ）でありうる、サービングセル１０２の第１のプライマリスクランブリングコードの受信信号符号電力（ＲＳＣＰ）は、図２に示されるように−９０ｄＢｍにおいて一定でありうる（したがって、適合基準Ｓｒｘｌｅｖ＞０を満たすことができる）が、劣化した測定信号品質Ｅｃ／Ｉｏは、それでもセル再選択処理をトリガすることができる。マクロサービングセル１０２は、２つの適合条件Ｓｒｘｌｅｖ＞０及びＳｑｕａｌ＞０のうち１つが満たされえない場合には、「不適合」でありうる。
【００２４】
移動体無線通信装置１０６は、−１００ｄＢｍの一定のレベルを有するＲＡＴ間隣接セルの受信信号レベルＱｒｘｌｅｖｍｅａｓ（示される典型的な実施形態では２ＧのＧＳＭセルのＲｘｌｅｖ）を測定することができる。このレベルが適合基準Ｓｒｘｌｅｖ＞０を満たすとき、移動体無線通信装置は、ＲＡＴ間隣接セル１１５へ再選択することができる（２ＧのＧＳＭセルは、受信信号品質基準Ｓｑｕａｌ＞０と対照して測定されえず、したがって、十分に高い受信信号レベル（Ｒｘｌｅｖ）のみで十分でありうる）。ＲＡＴ間隣接セル１１４に滞在するとすぐに、移動体無線通信装置１０６は、継続して、より良好な（例えばより高いスループットの）サービスを提供することができる３ＧのＵＭＴＳセルを探索してもよい。３ＧのＵＭＴＳセルの探索では、現在のＲＡＴ間セル１１４がブロードキャストしたセルの隣接リストの情報を使用することができるが、隣接リストは、フェムトセルを除外しうる。探索では、現在のＲＡＴ間セル１１４の隣接リストに含まれていない（また先のマクロサービングセル１１２の隣接リストにも含まれていない）他のプライマリスクランブリングコードも使用できる。例えば、移動体無線通信装置は、プライマリスクランブリングコードＰＳＣ＃２を使用する３ＧのＵＭＴＳフェムトセル１１８を検出することができる。ＰＳＣ＃２に対する受信信号符号電力（ＲＳＣＰ）の強度は、−９０ｄＢｍに等しい場合があり、要求される受信信号レベル適合基準Ｓｒｘｌｅｖ＞０を満たしうる。フェムトセル１１８に対して測定された信号品質（Ｅｃ／Ｉｏ  ＵＭＴＳ  ＰＳＣ＃２）が受信信号品質適合基準Ｓｑｕａｌ＞０のために要求されるレベルを超える場合、移動体無線通信装置１０６は２Ｇ（ＲＡＴ間隣接）ＧＳＭセル１１４から３ＧのＵＭＴＳフェムトセル１１８へ再選択することができる。２ＧのＲＡＴ間隣接セル１１４へ滞在することに起因するフェムトセル１１８への再選択のために受ける遅延は、セルサーチの間に記憶されたセルリストを含めることにより避けることができる。所定の受信信号レベル及び品質条件の下で、移動体無線通信装置１０６は、２ＧのＧＳＭセル１１４への接続を維持することができ、その場合、移動体無線通信装置は、より良好な無線アクセス技術（例えば３ＧのＵＭＴＳは２ＧのＧＳＭを超える）を使用するセルへ滞在しない場合もある。
【００２５】
図３は、セル再選択のための従来技術の方法３００を概説している。移動体無線通信装置１０６は、ステップ３０２において、初期的に、３ＧのＵＭＴＳサービングセル１０２へ接続され（使用可能状態であり）うる。ステップ３０４において、３ＧのＵＭＴＳサービングセル１０２の、移動体無線通信装置１０６が受信した信号品質がセル適合のために要求される以下のレベルに減少しうる。ステップ３０６において、圏外（ＯＯＳ）タイマが開始され、ＯＯＳタイマが満了すると、ステップ３０８において、移動体無線通信装置１０６は、ブロードキャストされた隣接リストを用いてセルを探索することができる。探索は、同一周波数だが異なるスクランブリングコードを用いるセル（周波数内サーチ）、異なる周波数を用いるセル（周波数間サーチ）、及び異なる無線アクセス技術を用いるセル（ＲＡＴ間サーチ）を含むことができる。ステップ３１０において、いずれかの３ＧのＵＭＴＳ隣接セルが適切な品質と信号レベルとを有することが見出された場合、移動体無線通信装置１０６は、ステップ３１２において、３Ｇ  ＵＭＴＳセルへの再選択を行うことができ、探索及び再選択処理が終了する。
【００２６】
発見されたセルは、３ＧのＵＭＴＳサービングセル１０２によって以前にブロードキャストされたシステム情報ブロックにおいて特定される、再選択のためのセル適合基準を満足することができる。ステップ３１０において、適合する３ＧのＵＭＴＳセルが発見されなかった場合、ステップ３１４において、いずれかの適合する２ＧのＧＳＭセルが発見された場合に、移動体無線通信装置１０６は、ステップ３１８において、当該適合する２ＧのＧＳＭセルへと再選択することができる（２ＧのＧＳＭセルは、ＲＡＴ間隣接セル１１４の典型的な例でありうる）。ステップ３１４において、適合する２ＧのＧＳＭセルが発見されなかった場合、Ｓ３１６において、以前に関連する３ＧのＵＭＴＳサービングセル１０２によってブロードキャストされていない、セルを含むセルの広範囲な探索（不図示）を処理することができる、圏外（ＯＯＳ）リカバリ処理が生じうる。移動体無線通信装置１０６が２ＧのＧＳＭセルに滞在すると、ステップ３２０において、（ステップ３２２で判定されるように）移動体無線通信装置１０６が滞在している現在のサービング２Ｇ  ＧＳＭセルより、隣接３Ｇ  ＵＭＴＳセルが高い品質を提供することができる点まで当該隣接３Ｇ  ＵＭＴＳセルの品質が高まったとき、移動体無線通信装置１０６は、ステップ３１２において、隣接３Ｇセルへと再選択を行うことができる。直接に３ＧのＵＭＴＳセルへの（例えば、ブロードキャストされた隣接リストで見出されなかったものへの）選択ではなく、２ＧのＧＳＭセルを選択して滞在する中間のステップを実行することは、次意に説明するような新しい方法を用いることで回避することができる。
【００２７】
図４は、図３について説明した方法３００を、探索されると共に再選択に使用されるセルのセットを拡張するように変形したセル再選択のための方法４００を示している。ステップ４０２において、３ＧのＵＭＴＳサービングセル１０２によって先にブロードキャストされる隣接セルに加えて、移動体無線通信装置１０６は、移動体無線通信装置１０６において記憶されたリストからもセルを探索することができる。記憶されたリストは、移動体無線通信装置１０６によって、先に検出されたセルと既知のセルとの少なくともいずれかに基づいて維持されることができ、セルの周波数とプライマリスクランブリングコードとを含むことができる。ステップ４０４において、いずれかの３ＧのＵＭＴＳセルが隣接リストから検出され、適合することが見出された場合、移動体無線通信装置１０６は、ステップ４０６において隣接リストからのその３ＧのＵＭＴＳセルへと再選択を行うことができる。しかしながら、ステップ４０４において、隣接リストからの３ＧのＵＭＴＳセルが検出されない、または適合することが見出されなかった場合、移動体無線通信装置は、再選択するための追加のセルの探索を継続することができる。
【００２８】
隣接リストにおける３ＧのＵＭＴＳセルに続いて、移動体無線通信装置１０６は、ステップ４０８において、隣接リストにおける適合する２ＧのＧＳＭセルを調べる。ステップ４０８において、隣接リストからの２ＧのＧＳＭセルが適合することが見出されなかった場合、移動体無線通信装置は、ステップ３１６において、探索を追加セルへ拡張することができる圏外リカバリ処理へ入ることができる。ステップ４０８において、隣接リストからの２ＧのＧＳＭセルが適合することが見出された場合、移動体無線通信装置１０６は、まず、記憶されたリストからの３ＧのＵＭＴＳセルが適合することが見出されるかをステップ４１０において判定することができる。これにより、３ＧのＵＭＴＳセルが利用可能であると共に接続に適してもいる場合に、２ＧのＧＳＭセルへの再選択を回避することができる。したがって、記憶されたリストからの３ＧのＵＭＴＳセルを、隣接リストからの２ＧのＧＳＭセルに対して優先することができる。ステップ４１４において、記憶されたリストからの３ＧのＵＭＴＳセルは、２ＧのＧＳＭセルと対照して比較されることができ、移動体無線通信装置は、「より良好な」セルに接続することができる。セル適合基準を２つのセルを比較するのに使用することができる。記憶されたリストの３ＧのＵＭＴＳセルが、隣接リストにおける２ＧのＧＳＭセルより良好である場合、移動体無線通信装置１０６は、ステップ４１６において、記憶されたリストにおける３ＧのＵＭＴＳセルへと再選択することができる。その他の場合、移動体無線通信装置１０６は、ステップ４１２において、隣接リストからの２Ｇセルへと再選択することができる。無線通信ネットワークにおけるセルによってブロードキャストされていない３ＧのＵＭＴＳセルの、記憶されたリストを含めることにより、移動体無線通信装置１０６は、セルサーチ及び選択処理を、より低速なデータレートの２ＧのＧＳＭ接続ではなく、より高速なデータレートの３ＧのＵＭＴＳ接続を提供することができる、「私用の」フェムトセルを含めるように拡張することができる。
【００２９】
図５は、内部処理部を含む移動体無線通信装置１０６の典型的な実施形態５００」を示している。移動体無線通信装置のアプリケーションプロセッサ５０２は、ＩＰスタックを保持し、データ接続を要求すると共に開放し、アプリケーションサービスを提供することのような、上位レイヤの機能を実行することができる。移動体無線通信装置１０６の送受信器５０４は、上位レイヤシグナリングに対応する下位レイヤパケットと、無線「エア」インタフェースを通じて、無線通信ネットワーク１００の無線ネットワークサブシステム１０４へ送信されるデータパケットとを送信し、受信することができる。送受信器５０４は再選択に適したセルを探索し検出することができる。適合基準とセルについての他の情報は、マクロセル１０２と隣接セル１１０／１１４との両方を含む無線通信ネットワーク１００におけるセル内の無線ネットワークサブシステム１０４／１０８／１１２によってブロードキャストされうる。移動体無線通信装置１０６は、無線ネットワークサブシステム１０４／１０８／１１２によってブロードキャストされた情報に基づいて、隣接リストを組成することができる。フェムトセル１１８のような私用セルについての情報は、無線ネットワークサブシステム１０４／１０８／１１２によってブロードキャストされえず、移動体無線通信装置１０６は他の手段を通じて提供された情報に基づいて「私用」セルの記憶されたリストを維持することができる。例えば、私用セルについての情報は、手動で入力され、事前に記憶され、制御メッセージを通じて伝達され、又は私的接続から記憶されることができる。隣接リストにおけるセル又は記憶されたリストにおけるセルについての情報は、伝送周波数帯域、キャリア周波数、プライマリスクランブリングコード及びチリ的位置を含むことができる。いくつかの実施形態では、アプリケーションプロセッサ５０２と送受信器５０４とは、分離された装置であってもよく、他方で、他の実施形態では、アプリケーションプロセッサ５０２と送受信器とで実行される機能は１つの装置内で組み合わせられてもよい。
【００３０】
図６は、移動体無線通信装置１０６がサービスの喪失後に適切なセルの選択に応じて取ることができる、選択動作のセットを、テーブル６００にまとめている。移動体無線通信装置１０６は、セルの記憶されたリストと、組成されたセルの隣接リストとを含むことができる。そのセルが選択の候補でありえ、各セルは、Ａ  ＲＡＴとＢ  ＲＡＴとのいずれかである特定の無線アクセス技術（ＲＡＴ）を使用することができる。Ａ  ＲＡＴがＢ  ＲＡＴよりも優先されてもよく、例えば、Ａ  ＲＡＴが３ＧのＵＭＴＳである場合、一方でＢ  ＲＡＴは２ＧのＧＳＭである。プリファレンスは、使用されるより高度な世代の無線通信技術に基づいて、又はその技術を用いて得られる最大データレートに基づいて、又は装置のユーザにより（又は無線通信ネットワークにより）ランク付けされた性能に基づくと共に移動体無線通信装置１０６に記憶されてもよい。移動体無線通信装置１０６は隣接リスト内のそして記憶されたリスト内の１つ以上のセルを、異なる無線周波数帯域において受信信号をスキャンすることにより、探索して検出することができる。探索に続いて、移動体無線通信装置１０６は、１つ以上の発見されたセルが適合基準の受信されたセット又は記憶されたセットに基づいて、選択するのに適合しているかを判定することができる。図６においては、表記ＡはＡ  ＲＡＴを使用する適合するセルが発見されることを示しうる一方で、表記ＢはＢ  ＲＡＴを使用する適合セルが発見されることを示しうる。表記¬ＡはＡ  ＲＡＴを使用する適合セルが発見されないことを示しうる一方で、表記¬ＢはＢ  ＲＡＴを使用する適合セルが発見されないことを示しうる。
【００３１】
移動体無線通信装置１０６は、隣接リストと記憶されたリストとその両方とのいずれかにおいて、Ａ  ＲＡＴ又はＢ  ＲＡＴを使用する適合セルを検出することができる。隣接リストにおける優先されるＡ  ＲＡＴを使用する適合セルが発見された場合、移動体無線通信装置１０６は、Ａセルを選択することができる。Ａ  ＲＡＴ又はＢ  ＲＡＴを使用する適合セルが隣接リストにおいて発見されなかった場合、移動体無線通信装置１０６は圏外リカバリ処理を開始することができる。適合するＢセルが隣接リストにおいて発見されたが、適合するＡセルが隣接リスト又は記憶されたリストにおいて発見されなかった場合、移動体無線通信装置は、隣接リストにおいて発見された、非優先の、適合するＢ  ＲＡＴセルを選択することができる。適合するＡセルが記憶されたリストにおいて発見されると共に、隣接リストにおいて適合するＡセルが発見されなかった場合、移動体無線通信装置１０６は、記憶されたリストにおける優先のＡ  ＲＡＴセルを検討することができる。移動体無線通信装置１０６は、受信信号強度又は受信信号品質のような、性能メトリックを両セルについて比較することができ、より高い性能のセルを選択することができる。例えば、記憶されたリストのＡセルが、隣接リストのＢセルより性能が優れている場合、移動体無線通信装置１０６は、優先のＲＡＴの、記憶されたリストにおける適合するＡセルを選択することができる。しかしながら、隣接リストのＢセルが、記憶されたリストのＡセルより性能が優れている場合は、その隣接リストにおける適合するＢセルが、記憶されたリストにおける優先のＲＡＴ  Ａセルに対して、選択されうる。探索に記憶されたリストのセルを含めることにより、移動体無線通信装置１０６は、より高い性能の、及びより最近の世代の、の少なくともいずれかの無線アクセス技術のセルに接続することができる。移動体無線通信装置１０６は、より良好な性能のセルが利用可能である場合は、そのより良好な性能のセルについての情報が無線通信ネットワーク１００によりブロードキャストされていなくとも、低性能の又はより古い世代の無線アクセス技術のセルに滞在することを避けることができる。
【００３２】
説明された実施形態のさまざまな態様は、ソフトウェア、ハードウェア又はハードウェアとソフトウェアとの組み合わせにより実装することができる。説明された実施形態は、また、製造操作を制御するためのコンピュータ可読媒体上のコンピュータ可読コードとして、又は、熱可塑性成型されたパーツを組み立てるのに使用される製造ラインを制御するためのコンピュータ可読媒体上のコンピュータ可読コードとして具現化することができる。コンピュータ可読媒体は、その後にコンピュータシステムによって読み出されるデータを記憶することができるあらゆるデータ記憶装置である。コンピュータ可読媒体の例は、リードオンリーメモリ、ランダムアクセスメモリ、ＣＤ−ＲＯＭ、ＤＶＤ、磁気テープ、光学データ記憶装置、及び搬送波を含む。コンピュータ可読媒体は、また、コンピュータ可読コードが分散的に格納され、実行されるように、ネットワーク接続された複数のコンピュータシステムに分散されてもよい。
【００３３】
説明された実施形態のさまざまな態様、実施形態、実装、又は特徴は、個別に又は任意の組み合わせで使用することができる。先の説明は、説明の目的で、本発明の十分な理解を提供するために、特定の専門用語を用いた。しかしながら、当業者であれば、特定の詳細は本発明を実行するためには必要とされないことは明らかであろう。このように、本発明の特定の実施形態の先の説明は、例示と説明の目的で提示されている。それらは、網羅的であること、又は開示した厳密な形態に本発明を限定することを意図していない。当業者であれば、上述の教示を考慮して、多くの変形及び変化が可能であることは明らかであろう。
【００３４】
実施形態は、本発明の原理とその応用とを最もよく説明し、それにより当業者が本発明とさまざまな変形を伴うさまざまな実施形態を、予期される特定の使用に適するように最もよく利用することを可能とするために選択され、説明された。
【図１】
0005984906.tif 000002
【図２】
0005984906.tif 000003
【図３】
0005984906.tif 000004
【図４】
0005984906.tif 000005
【図５】
0005984906.tif 000006
【図６】
0005984906.tif 000007